(57)【要約】【課題】上縁部の補強構造体が製作工程における加工作業に起因する変形を伴うことなく表板に強固に固定されるエレベーター用引き戸を得る。【解決手段】引き戸４の表板１２に上部補強材１５及び縦補強材１９を接着手段１６によって装着し、また取付板２２を上部補強材１５の上面、表板１２の対向部１４及び縦補強材１９の溝形底面側２１に重合して配置し、上部補強材１５の上面等と取付板２２との重合部をリベット２３によって締結する。これにより、表板１２に対して上部補強材１５及び取付板２２を溶接歪み、スポット溶接痕が生じることなく強固に装着できて、上部補強材１５及び取付板２２箇所における剛性が向上する。このため、溶接歪み等の修正作業を省略でき、また吊り手を簡易な作業によって容易に所定位置に装着することができる。【選択図】        図２
2004338841.tif 000002
【特許請求の範囲】
【請求項１】
上縁部が吊り手によって吊持される引き戸の要部を形成する表板と、この表板の両側縁部がそれぞれ裏面方向に屈折された屈折面及びこの屈折面の自由端側がそれぞれ屈折されて上記表板の裏面と対向する対向部と、横断面溝形をなし溝形の開口部側が上記表板の裏面に接着手段によって装着され長手が上下方向に配置されて上記表板の幅方向の中間に配置され、かつ上記溝形の底面側が上記対向部面に対応した位置に配置された縦補強材と、横断面溝形をなし溝形の底面が上記表板の裏面に接着手段によって装着され長手が水平方向に配置されて上記表板の上縁部に配置され、上面に上方に突出して設けられて上記対向部寄りに配置された仕切板が溝形の上側の側壁に締結された上部補強材と、横断面Ｌ字状をなしＬ字の一辺が上記上部補強材における溝形の上側の側壁に重合して配置され、Ｌ字の他辺は上記対向部面及び上記縦補強材における溝形の底面に重合して配置されて上記Ｌ字の他辺に上記吊り手が装着される取付板と、上記上部補強材、対向部及び縦補強材と上記取付板との重合部に配置されて上記重合部において互いに対面した部材相互を締結したリベットとを備えたエレベーター用引き戸。
【請求項２】
上縁部が吊り手によって吊持される引き戸の要部を形成する表板と、この表板の両側縁部がそれぞれ裏面方向に屈折された屈折面及びこの屈折面の自由端側がそれぞれ屈折されて上記表板の裏面と対向する対向部と、上記表板の裏面側に重合して配置され接着手段によって装着された下地板と、この下地板の要部を形成し上記下地板の縁部が屈折されてなり上記表板の屈折面に対面した屈折面、上記表板の対向部と対面した対向部、上縁部が裏面方向に屈折されて上記表板の上端よりも下方に配置された上縁屈折面及びこの上縁屈折面の自由端側が屈折されて上記下地板の対向部の外面に重合して配置されて上記吊り手が装着される取付面と、この取付面に重合して配置された座板と、上記下地板の対向部及び座板と上記取付面との重合部に配置されて上記重合部において互いに対面した部材相互を締結したリベットとを備えたエレベーター用引き戸。
【請求項３】
吊り手を、吊り板が鉛直に下方へ延長されて下端部が締結具によって引き戸の裏面側に締結されたものとしたことを特徴とする請求項１及び請求項２のいずれか一つに記載のエレベーター用引き戸。
【発明の詳細な説明】
【０００１】
【発明の属する技術分野】
この発明は、主としてエレベーターの乗場に設けられて、表面が出入口の上縁部正面と同一面に配置されて動作して出入口を開閉するエレベーター用引き戸に関する。
【０００２】
【従来の技術】
従来のエレベーター用引き戸においては、引き戸の要部を形成し上縁部が吊り手によって吊持される表板が設けられ、表板の両側縁部がそれぞれ裏面方向に屈折された屈折面及びこの屈折面の自由端側がそれぞれ屈折されて上記表板の裏面と対向する対向部が表板に形成される。そして、横断面溝形をなす上部補強材が、それの溝形底面を表板の裏面に接して配置されて長手が水平方向に配置されて表板の上縁部に配置され、すみ肉溶接及びスポット溶接によって表板に固定される。
【０００３】
また、仕切板が上部補強材の上面に上方に突出して設けられて表板の対向部寄りに配置され、取付ねじによって上部補強材に締結される。そして、横断面溝形をなす縦補強材が溝形の開口部側に設けられたフランジ部を介して表板の裏面に接して配置され、スポット溶接によって表板に固定されて長手が上下方向に配置され表板の幅方向の中間に配置される。また、上部補強材の溝形内に形成された取付台に取付金具が締結されて、この取付金具に前述の吊り手を締結機構を介して装着するように構成されている。
【０００４】
上記のように構成された従来のエレベーター用引き戸は、上部補強材の取付台を介して引き戸の裏面に吊り手の下部が締結されて上方に突出して配置される。そして、このような構成の引き戸の上端面が出入口の上縁部下面と空隙を形成して対面して配置されて、引き戸の表面が出入口の上縁部正面と同一面に配置されて、引き戸が開閉動作して出入口を開閉するようになっている。（例えば、特許文献１参照）。
【０００５】
【特許文献１】
実開昭６０−１４５１７１号公報（第１頁、第６図）
【０００６】
【発明が解決しようとする課題】
従来のエレベーター用引き戸では、引き戸の裏面に上部補強材を介して締結された吊り手によって引き戸が吊持される。このため、吊り手による吊持反力に対応する必要があって上部補強材が溶接手段によって表板に強固に固定される。しかし、上部補強材の溶接作業によって表板に反り、捻りなどの溶接歪みが発生する。この溶接歪みの修正のため多くの作業時間を要し、またスポット溶接痕が生じるため、表板が塗装仕上げの場合には塗装下地の塗膜を厚くする必要があって、塗装仕上げの費用が増大するという問題点があった。
【０００７】
また、表板がステンレス鋼板の鏡面仕上げのときにはスポット溶接痕の修正が出来ず、引き戸の鏡面仕上げの仕様には対応不能であった。さらに、吊り手が上部補強材に締結されるため上部補強材自体の溶接歪みによって、吊り手を所定の位置に締結するために煩雑な位置調整作業が必要となってエレベーターの据付費が嵩むという問題点があった。
【０００８】
この発明は、かかる問題点を解消するためになされたものであり、上縁部に設けられる補強構造体を製作工程における加工作業に起因する変形を伴うことなく、表板に強固に固定することができるエレベーター用引き戸を得ることを目的とする。
【０００９】
【課題を解決するための手段】
この発明に係るエレベーター用引き戸においては、上縁部が吊り手によって吊持される引き戸の要部を形成する表板と、この表板の両側縁部がそれぞれ裏面方向に屈折された屈折面及びこの屈折面の自由端側がそれぞれ屈折されて表板の裏面と対向する対向部と、横断面溝形をなし溝形の開口部側が表板の裏面に接着手段によって装着され長手が上下方向に配置されて表板の幅方向の中間に配置され、かつ溝形の底面側が表板の対向部面に対応した位置に配置された縦補強材と、横断面溝形をなし溝形の底面が表板の裏面に接着手段によって装着され長手が水平方向に配置されて表板の上縁部に配置され、上面に上方に突出して設けられて表板の対向部寄りに配置された仕切板が溝形の上側の側壁に締結された上部補強材と、横断面Ｌ字状をなしＬ字の一辺が上部補強材における溝形の上側の側壁に重合して配置され、Ｌ字の他辺は表板の対向部面及び縦補強材における溝形の底面に重合して配置されてＬ字の他辺に吊り手が装着される取付板と、上部補強材、表板の対向部及び縦補強材と取付板との重合部に配置されて重合部において互いに対面した部材相互を締結したリベットとが設けられる。
【００１０】
【発明の実施の形態】
実施の形態１．
図１〜図３は、この発明の実施の形態の一例を示す図で、図１はエレベーターの出入口における上縁部箇所の縦断側面図、図２は図１の引き戸の縦断面図、図３は図１の引き戸の裏面側の斜視図である。図において、出入口１の上縁部材２の下端面３に対して詳細は後述するが引き戸４の上端面５が空隙を形成して配置される。そして、上縁部材２正面と引き戸４の表面が同一面に配置される。
【００１１】
また、出入口１の上縁部にハンガーケース６が配置されて出入口１が設けられた壁に固定され、ハンガーケース６に戸のレール７が設けられて長手が水平に配置される。そして、戸のレール７に案内されて転動するローラを有する吊り手８が設けられて下端の締結部９が引き戸４の上端よりも下方に配置される。
【００１２】
また、引き戸４の裏面に取付金具１０の一側が締結されて、吊り手８の締結部９に対向した他側がボルト及びナットからなる締結具１１によって吊り手８に締結される。そして、引き戸４が次ぎに述べるように構成される。すなわち、表板１２の両側縁部がそれぞれ裏面方向に屈折された屈折面１３及びこの屈折面１３の自由端側がそれぞれ屈折されて表板１２の裏面と対向する対向部１４が形成される。
【００１３】
そして、横断面溝形をなす上部補強材１５の溝形の底面が、表板１２の裏面に接着剤、両面接着テープ等の接着手段１６によって装着されて長手が水平方向に配置されて表板１２の上縁部に配置される。また、横断面Ｌ字形の仕切板１７が上部補強材１５の上に配置されてＬ字の一辺が上部補強材１５における溝形の上側の側壁上面に重合されてなべねじ１８によって上部補強材１５に締結され、Ｌ字の他辺は上面に上方に突出して上縁部材２の下端面３の裏面側に空隙を形成して配置される。
【００１４】
また、横断面溝形をなす縦補強材１９が溝形の開口部側に形成されたフランジ状部を介して表板１２の裏面に接着剤、両面接着テープ等の接着手段２０によって装着され、長手が上下方向に配置されて表板１２の幅方向の中間に配置され、かつ上端が上部補強材１５における溝形の下側の側壁に接近して配置され、溝形の底面側２１が表板１２の対向部１４面よりも表板１２裏面に接近した位置に配置される。
【００１５】
そして、横断面Ｌ字状の取付板２２のＬ字の一辺が上部補強材１５における溝形の上側の側壁に重合して配置され、Ｌ字の他辺は対向部１４面の内側及び縦補強材１９における溝形の底面側２１に重合して配置される。また、上部補強材１５、対向部１４及び縦補強材１９と取付板２２との重合部において互いに対面した部材相互がリベット２３によって締結される。なお、吊り手８の締結部９が締結される前述の取付金具１０は取付板２２のＬ字の他辺と縦補強材１９との重合部に締結される。
【００１６】
上記のように構成されたエレベーター用引き戸において、引き戸４の上端面５が出入口１の上縁部材２の下端面３と空隙を形成して対面して配置されて、引き戸４の表面が上縁部材２の正面と同一面に配置される。そして、このように配置された引き戸４が動作して出入口１を開閉する。また、引き戸４の表板１２に上部補強材１５及び縦補強材１９が接着手段１６，２０によって装着される。
【００１７】
また取付板２２が、上部補強材１５の上面、表板１２の対向部１４及び縦補強材１９の溝形底面側２１に重合して配置されて、上部補強材１５の上面等と取付板２２との重合部が、重合箇所において互いに対面した部材相互がリベット２３によって締結される。これにより、表板１２に対して上部補強材１５及び取付板２２が強固に装着され、上部補強材１５及び取付板２２箇所において高い剛性を得ることができる。
【００１８】
この構成によって、取付板２２のＬ字の他辺を介して吊り手８が締結されて、吊り手８を介して作用する引き戸４の吊持荷重は取付板２２から上部補強材１５、縦補強材１９、リベット２３に分散して表板１２に伝達される。このため、吊り手８によって吊持された高剛性を有する引き戸４を円滑に開閉動作させることができる。そして、表板１２、上部補強材１５、縦補強材１９及び取付板２２が溶接されることなく結合される。したがって、表板１２に溶接歪み、スポット溶接痕が生じることがなく、溶接歪み等の修正のための煩雑な手数を省くことができる。
【００１９】
また、スポット溶接痕が生じないので表板１２の塗装仕上げの仕様に対して塗装下地工程を簡略化することができ、表板１２の仕上げの費用を低減することができる。また表板１２のステンレス鋼板の鏡面仕上げの仕様に容易に対応することができる。さらに、引き戸４の溶接歪みが減少することによって、吊り手８を簡易な位置調整作業により引き戸４の所定の位置に容易に締結することができ、エレベーターの据付費を節減することができる。
【００２０】
実施の形態２．
図４及び図５は、この発明の他の実施の形態の一例を示す図で、図４は前述の図２相当図、図５は図４の引き戸の裏面側の斜視図である。なお、図４及び図５の他は前述の図１〜図３と同様にエレベーター用引き戸が構成されている。図において、図１〜図３と同符号は相当部分を示し、引き戸４の下地板２４の両側縁部がそれぞれ裏面方向に屈折された屈折面２５及びこの屈折面２５の自由端側がそれぞれ屈折されて下地板２４の裏面と対向する対向部２６が形成される。
【００２１】
また、下地板２４の上縁部が裏面方向に屈折された上縁屈折面２７及び上縁屈折面２７の自由端側が屈折されて対向部２６の外面に重合する取付面２８が設けられ、上縁屈折面２７は表板１２の上端よりも下降した位置に配置される。そして、下地板２４を被覆する状態に表板１２が配置されて、表板１２の裏面と下地板２４の表板１２との対向面、表板１２の屈折面１３と下地板２４の屈折面２５、表板１２の対向部１４と下地板２４の対向部２６がそれぞれ重合して配置される。
【００２２】
そして、表板１２の裏面と下地板２４の表板１２との対向面が接着剤、両面接着テープ等の接着手段２９によって装着される。また、横断面Ｌ字形の仕切板１７が上縁屈折面２７の上に配置されてＬ字の一辺が上縁屈折面２７に重合され、なべねじ１８によって上縁屈折面２７に締結され、Ｌ字の他辺は上面に上方に突出して上縁部材２の下端面３の裏面側に空隙を形成して配置される。また、取付面２８の内側に座板３０が重合して配置される。
【００２３】
そして、下地板２４の対向部２６と取付面２８の重合部、下地板２４の取付面２８と座板３０の重合部において、互いに対面した部材相互がリベット２３によって締結される。なお、吊り手８の締結部９が締結される前述の取付金具１０は、下地板２４の取付面２８と座板３０の重合部に締結される。
【００２４】
上記のように構成されたエレベーター用引き戸において、下地板２４に表板１２が接着手段２９によって装着され、また下地板２４の対向部２６と取付面２８の重合部、下地板２４の取付面２８と座板３０の重合部がリベット２３によって締結される。そして、下地板２４の取付面２８と座板３０を介して吊り手８が装着さる。
【００２５】
このような構成によって、吊り手８を介して作用する引き戸４の吊持荷重は下地板２４の取付面２８から屈折面２５、対向部２６、リベット２３に分散して表板１２に伝達される。また、表板１２、下地板２４、座板３０が溶接されることなく結合される。したがって、詳細な説明を省略するが図４及び図５の実施の形態においても図１〜図３の実施の形態と同様な作用が得られる。
【００２６】
実施の形態３．
図６も、この発明の他の実施の形態の一例を示す前述の図１相当図である。なお、図６の他は前述の図１〜図３と同様にエレベーター用引き戸が構成されている。図において、図１〜図３と同符号は相当部分を示し、吊り手８の吊り板３１が鉛直に下方へ延長されて、下端部がボルトからなる締結具３２によって取付板２２のＬ字の他辺と縦補強材１９との重合部に締結される。また、出入口１の下縁部を形成する敷居３３が設けられる。
【００２７】
上記のように構成されたエレベーター用引き戸においても、表板１２、取付板２２等が溶接されることなく結合される。したがって、詳細な説明を省略するが図６の実施の形態においても図１〜図３の実施の形態と同様な作用が得られる。また、吊り手８の吊り板３１が屈折されることなく下方へ延長されて引き戸４に締結されるので、吊り手８の製作、吊り手８の取付作業の手数を省くことができ、製作費、取付作業費を低減することができる。
【００２８】
【発明の効果】
この発明は以上説明したように、上縁部が吊り手によって吊持される引き戸の要部を形成する表板と、この表板の両側縁部がそれぞれ裏面方向に屈折された屈折面及びこの屈折面の自由端側がそれぞれ屈折されて表板の裏面と対向する対向部と、横断面溝形をなし溝形の開口部側が表板の裏面に接着手段によって装着され長手が上下方向に配置されて表板の幅方向の中間に配置され、かつ溝形の底面側が対向部面に対応した位置に配置された縦補強材と、横断面溝形をなし溝形の底面が表板の裏面に接着手段によって装着され長手が水平方向に配置されて表板の上縁部に配置され、上面に上方に突出して設けられて表板の対向部寄りに配置された仕切板が溝形の上側の側壁に締結された上部補強材と、横断面Ｌ字状をなしＬ字の一辺が上部補強材における溝形の上側の側壁に重合して配置され、Ｌ字の他辺は表板の対向部面及び縦補強材における溝形の底面に重合して配置されてＬ字の他辺に吊り手が装着される取付板と、上部補強材、表板の対向部及び縦補強材と取付板との重合部に配置されて重合部において互いに対面した部材相互を締結したリベットとを設けたものである。
【００２９】
これによって、引き戸の表板に上部補強材及び縦補強材が接着手段によって装着され、また取付板が上部補強材の上面、表板の対向部及び縦補強材の溝形底面側に重合して配置されて、上部補強材の上面等と取付板との重合部が相互にリベットによって締結される。これにより、表板に対して上部補強材及び取付板が強固に装着され、上部補強材及び取付板箇所において高い剛性を得ることができる。この構成によって、取付板のＬ字の他辺を介して吊り手が締結されて、吊り手を介して作用する引き戸の吊持荷重は取付板から上部補強材、縦補強材、リベットに分散して表板に伝達される。このため、吊り手によって吊持された高剛性を有する引き戸を円滑に開閉動作させることができる。そして、表板、上部補強材、縦補強材及び取付板が溶接されることなく結合されるので、表板に溶接歪み、スポット溶接痕が生じることがなく、溶接歪み等の修正のための煩雑な手数を省くことができる。また、スポット溶接痕が生じないので表板の表面仕上げ工程を簡略化できる。したがって、仕上げの費用を低減でき、引き戸の溶接歪みが減少することによって、吊り手を簡易な位置調整作業により引き戸の所定の位置に容易に配置することができてエレベーターの据付費を節減する効果がある。
【図面の簡単な説明】
【図１】この発明の実施の形態１を示す図で、エレベーターの出入口における上縁部箇所の縦断側面図。
【図２】図１の引き戸の縦断面図。
【図３】図１の引き戸の裏面側の斜視図。
【図４】この発明の実施の形態２を示す図で、前述の図２相当図。
【図５】図４の引き戸の裏面側の斜視図。
【図６】この発明の実施の形態３を示す図で、前述の図１相当図。
【符号の説明】
４  引き戸、８  吊り手、１２  表板、１３  屈折面、１４  対向部、１５上部補強材、１６  接着手段、１７  仕切板、１９  縦補強材、２０  接着手段、２１  底面側、２２  取付板、２３  リベット、２４  下地板、２５  屈折面、２６  対向部、２７  上縁屈折面、２８  取付面、２９  接着手段、３０  座板、３１  吊り板、３１  締結具。
【図１】
2004338841.tif 000003
【図２】
2004338841.tif 000004
【図３】
2004338841.tif 000005
【図４】
2004338841.tif 000006
【図５】
2004338841.tif 000007
【図６】
2004338841.tif 000008